【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
複数ユーザの複数入力複数出力（ＭＵ−ＭＩＭＯ）部分と直交周波数分割多元接続（ＯＦＤＭＡ）部分と信号（ＳＩＧ）フィールドとを含んでいるパケットを発生させ、前記ＳＩＧフィールドは、パケット送信周波数帯域幅内の前記ＭＵ−ＭＩＭＯ部分に対する周波数帯域幅ロケーションを示すことと、
前記パケット送信周波数帯域幅に渡って前記パケットを送信することとを含む方法。
【請求項２】
前記送信することは、前記パケット送信周波数帯域幅の一部分に渡って前記パケットの前記ＭＵ−ＭＩＭＯ部分を、前記パケット送信周波数帯域幅の残りの部分に渡って前記パケットの前記ＯＦＤＭＡ部分を送信することを含む請求項１記載の方法。
【請求項３】
前記ＳＩＧフィールドは、前記パケットの前記送信が、前記ＭＵ−ＭＩＭＯ部分とＯＦＤＭＡ部分を含んでいるか否かを示す請求項１記載の方法。
【請求項４】
前記ＳＩＧフィールドにおけるフィールドのフォーマットは、前記パケットの前記送信が、前記ＭＵ−ＭＩＭＯ部分とＯＦＤＭＡ部分を含んでいるか否かに、少なくとも部分的に基づいている請求項３記載の方法。
【請求項５】
前記ＳＩＧフィールドは、前記ＭＵ−ＭＩＭＯ部分の前記送信の周波数帯域幅を示す請求項１記載の方法。
【請求項６】
前記ＳＩＧフィールドは、前記ＭＵ−ＭＩＭＯ部分の前記送信を受信するように意図されている局のグループを示しているグループ識別子フィールドを含む請求項１記載の方法。
【請求項７】
前記ＳＩＧフィールドは、前記ＯＦＤＭＡ部分の前記送信を受信するように意図されている局のグループを示しているグループ識別子フィールドを含む請求項１記載の方法。
【請求項８】
ワイヤレス通信のための装置において、
複数ユーザの複数入力複数出力（ＭＵ−ＭＩＭＯ）部分と直交周波数分割多元接続（ＯＦＤＭＡ）部分と信号（ＳＩＧ）フィールドとを含んでいるパケットを発生させ、前記ＳＩＧフィールドは、パケット送信周波数帯域幅内の前記ＭＵ−ＭＩＭＯ部分に対する周波数帯域幅ロケーションを示す手段と、
前記パケット送信周波数帯域幅に渡って前記パケットを送信する手段とを具備する装置。
【請求項９】
前記送信する手段は、前記パケット送信周波数帯域幅の一部分に渡って前記パケットの前記ＭＵ−ＭＩＭＯ部分を、前記パケット送信周波数帯域幅の残りの部分に渡って前記パケットの前記ＯＦＤＭＡ部分を送信するようにさらに構成されている請求項８記載の装置。
【請求項１０】
実行されるときに、請求項１ないし請求項７のうちのいずれか１項記載の方法をコンピュータに実行させるプログラムコードを備えるコンピュータ読取可能媒体を具備するコンピュータプログラムプロダクト。
【手続補正２】
【補正対象書類名】明細書
【補正対象項目名】００５１
【補正方法】変更
【補正の内容】
【００５１】
［００５７］
上記は、本開示の態様に向けられているが、開示の他の態様およびさらなる態様を、その基本的な範囲から逸脱することなく考案することができ、その範囲は、以下に続く特許請求の範囲によって決定される。
以下に、本願出願の当初の特許請求の範囲に記載された発明を付記する。
［１］ワイヤレス通信のための方法において、
複数ユーザの複数入力複数出力（ＭＵ−ＭＩＭＯ）部分と直交周波数分割多元接続（ＯＦＤＭＡ）部分とを含んでいるパケットを発生させることと、
パケット送信周波数帯域幅に渡って前記パケットを送信することとを含む方法。
［２］前記送信することは、前記パケット送信周波数帯域幅の一部分に渡って前記パケットの前記ＭＵ−ＭＩＭＯ部分を、前記パケット送信周波数帯域幅の残りの部分に渡って前記パケットの前記ＯＦＤＭＡ部分を送信することを含む［１］記載の方法。
［３］前記パケットは、信号（ＳＩＧ）フィールドをさらに含む［１］記載の方法。
［４］前記ＳＩＧフィールドは、前記パケットの前記送信が、前記ＭＵ−ＭＩＭＯ部分とＯＦＤＭＡ部分を含んでいるか否かを示す［３］記載の方法。
［５］前記ＳＩＧフィールドにおけるフィールドのフォーマットは、前記パケットの前記送信が、前記ＭＵ−ＭＩＭＯ部分とＯＦＤＭＡ部分を含んでいるか否かに、少なくとも部分的に基づいている［４］記載の方法。
［６］前記ＳＩＧフィールドは、前記パケット送信周波数帯域幅内の前記ＭＵ−ＭＩＭＯ部分に対する周波数帯域幅ロケーションを示す［３］記載の方法。
［７］前記ＳＩＧフィールドは、前記ＭＵ−ＭＩＭＯ部分の前記送信の周波数帯域幅を示す［３］記載の方法。
［８］前記ＳＩＧフィールドは、前記ＭＵ−ＭＩＭＯ部分の前記送信を受信するように意図されている局のグループを示しているグループ識別子フィールドを含む［３］記載の方法。
［９］前記ＳＩＧフィールドは、前記ＯＦＤＭＡ部分の前記送信を受信するように意図されている局のグループを示しているグループ識別子フィールドを含む［３］記載の方法。
［１０］ワイヤレス通信のための装置において、
複数ユーザの複数入力複数出力（ＭＵ−ＭＩＭＯ）部分と直交周波数分割多元接続（ＯＦＤＭＡ）部分とを含んでいるパケットを発生させるように構成されているプロセッサと、
パケット送信周波数帯域幅に渡って前記パケットを送信するように構成されている送信機とを具備する装置。
［１１］前記送信機は、前記パケット送信周波数帯域幅の一部分に渡って前記パケットの前記ＭＵ−ＭＩＭＯ部分を、前記パケット送信周波数帯域幅の残りの部分に渡って前記パケットの前記ＯＦＤＭＡ部分を送信するようにさらに構成されている［１０］記載の装置。
［１２］前記パケットは、信号（ＳＩＧ）フィールドをさらに含む［１０］記載の装置。
［１３］前記ＳＩＧフィールドは、前記パケットの前記送信が、ＭＵ−ＭＩＭＯ部分とＯＦＤＭＡ部分の送信を含んでいるか否かを示す［１２］記載の装置。
［１４］前記ＳＩＧフィールドにおけるフィールドのフォーマットは、前記パケットの前記送信が、前記ＭＵ−ＭＩＭＯ部分とＯＦＤＭＡ部分の前記送信を含んでいるか否かに、少なくとも部分的に基づいている［１３］記載の装置。
［１５］前記ＳＩＧフィールドは、前記パケット送信周波数帯域幅内の前記ＭＵ−ＭＩＭＯ部分に対する周波数帯域幅ロケーションを示す［１２］記載の装置。
［１６］前記ＳＩＧフィールドは、前記ＭＵ−ＭＩＭＯ部分の前記送信の周波数帯域幅を示す［１２］記載の装置。
［１７］前記ＳＩＧフィールドは、前記ＭＵ−ＭＩＭＯ部分の前記送信を受信するように意図されている局のグループを示しているグループ識別子フィールドを含む［１２］記載の装置。
［１８］前記ＳＩＧフィールドは、前記ＯＦＤＭＡ部分の前記送信を受信するように意図されている局のグループを示しているグループ識別子フィールドを含む［１２］記載の装置。
［１９］ワイヤレス通信のための装置において、
複数ユーザの複数入力複数出力（ＭＵ−ＭＩＭＯ）部分と直交周波数分割多元接続（ＯＦＤＭＡ）部分とを含んでいるパケットを発生させる手段と、
パケット送信周波数帯域幅に渡って前記パケットを送信する手段とを具備する装置。
［２０］前記送信する手段は、前記パケット送信周波数帯域幅の一部分に渡って前記パケットの前記ＭＵ−ＭＩＭＯ部分を、前記パケット送信周波数帯域幅の残りの部分に渡って前記パケットの前記ＯＦＤＭＡ部分を送信するようにさらに構成されている［１９］記載の装置。
［２１］前記パケットは、信号（ＳＩＧ）フィールドをさらに含む［１９］記載の装置。
［２２］前記ＳＩＧフィールドは、前記パケットの前記送信が、ＭＵ−ＭＩＭＯ部分とＯＦＤＭＡ部分の送信を含んでいるか否かを示す［２１］記載の装置。
［２３］前記ＳＩＧフィールドにおけるフィールドのフォーマットは、前記パケットの前記送信が、前記ＭＵ−ＭＩＭＯ部分とＯＦＤＭＡ部分の前記送信を含んでいるか否かに、少なくとも部分的に基づいている［２２］記載の装置。
［２４］前記ＳＩＧフィールドは、前記パケット送信周波数帯域幅内の前記ＭＵ−ＭＩＭＯ部分に対する周波数帯域幅ロケーションを示す［２１］記載の装置。
［２５］前記ＳＩＧフィールドは、前記ＭＵ−ＭＩＭＯ部分の前記送信の周波数帯域幅を示す［２１］記載の装置。
［２６］前記ＳＩＧフィールドは、前記ＭＵ−ＭＩＭＯ部分の前記送信を受信するように意図されている局の第１のグループを示している第１のグループ識別子フィールドを含み、前記ＳＩＧフィールドは、前記ＯＦＤＭＡ部分の前記送信を受信するように意図されている局の第２のグループを示している第２のグループ識別子フィールドを含む［２１］記載の装置。
［２７］命令を含む一時的でないコンピュータ読取可能媒体において、
実行されるときに、前記命令は、プロセッサに、
複数ユーザの複数入力複数出力（ＭＵ−ＭＩＭＯ）部分と直交周波数分割多元接続（ＯＦＤＭＡ）部分とを含んでいるパケットを発生させることと、
パケット送信周波数帯域幅に渡って前記パケットを送信することと、
の方法を実行させる媒体。
［２８］前記パケットを送信することは、前記パケット送信周波数帯域幅の一部分に渡って前記パケットの前記ＭＵ−ＭＩＭＯ部分を、前記パケット送信周波数帯域幅の残りの部分に渡って前記パケットの前記ＯＦＤＭＡ部分を送信することを含む［２７］記載の媒体。
［２９］前記パケットは、信号（ＳＩＧ）フィールドをさらに含む［２７］記載の媒体。
［３０］前記ＳＩＧフィールドは、前記パケットの前記送信が、ＭＵ−ＭＩＭＯ部分とＯＦＤＭＡ部分の送信を含んでいるか否かを示す［２９］記載の媒体。
［３１］前記ＳＩＧフィールドにおけるフィールドのフォーマットは、前記パケットの前記送信が、前記ＭＵ−ＭＩＭＯ部分とＯＦＤＭＡ部分の前記送信を含んでいるか否かに、少なくとも部分的に基づいている［３０］記載の媒体。
［３２］前記ＳＩＧフィールドは、前記パケット送信周波数帯域幅内の前記ＭＵ−ＭＩＭＯ部分に対する周波数帯域幅ロケーションを示す［２９］記載の媒体。
［３３］前記ＳＩＧフィールドは、前記ＭＵ−ＭＩＭＯ部分の前記送信の周波数帯域幅を示す［２９］記載の媒体。
［３４］前記ＳＩＧフィールドは、前記ＭＵ−ＭＩＭＯ部分の前記送信を受信するように意図されている局の第１のグループを示している第１のグループ識別子フィールドを含み、前記ＳＩＧフィールドは、前記ＯＦＤＭＡ部分の前記送信を受信するように意図されている局の第２のグループを示している第２のグループ識別子フィールドを含む［２９］記載の媒体。